(57)【要約】  本発明は、親局装置が動的に帯域割当を行うＴＤＭＡ方式において、上り通信で必ず発生する一定の遅延を極力減らし、通信効率のよい通信装置を実現するためのものであって、本発明にかかる通信装置は、親局装置に子局装置の上り通信のために固定的に帯域を確保・開放する手段を備え、子局装置に親局装置に上り通信を行う際に帯域確保を要求する手段と固定的に確保された帯域を使用して上り通信を行う手段を備える。
2010064654.tif 000002
【特許請求の範囲】
【請求項１】
親局装置と、前記親局装置に時分割多元接続される１〜複数の子局装置を備え、前記親局装置内に子局装置から親局装置へデータを送信するための帯域を固定的に確保・開放する手段と、子局装置から親局装置への送信要求に従って固定的に帯域を確保する手段を備え、前記子局装置内に親局への送信を行う際に送信用帯域を割り当てるための送信要求を行う手段と、前記割り当てられた帯域を使用して親局装置へデータを送信する手段を備えることを特徴とする通信装置。
【請求項２】
前記親局装置内に子局装置からのデータ送信が一定時間無かった場合に確保した帯域を開放する手段を備えることを特徴とする請求項１に記載の通信装置。
【請求項３】
前記親局装置内に親局装置が子局装置に対して固定的に帯域を割り当ててから一定時間経過後に該子局装置に対して固定的に確保した帯域を開放する手段を備えることを特徴とする請求項１に記載の通信装置。
【請求項４】
前記親局装置内に、親局装置が子局装置に対して固定的に帯域を割り当ててから一定時間経過後、該子局装置に対して固定的に確保した帯域が開放されていなかった場合に固定的に確保した帯域を開放する手段を備えることを特徴とする請求項２に記載の通信装置。
【請求項５】
前記親局装置内に子局装置管理テーブルを備え、前記親局装置が子局装置から送信要求を受ける毎に子局装置管理テーブルを参照し、固定帯域用に割り当てられた帯域に現在空きがあるかどうかを確認すると共に、前回固定帯域を開放した時点からの時間が指定された時間よりも短い場合は固定帯域の割当を行わず、指定された時間よりも長い場合は帯域を割り当てる手段を備えることにより、特定の子局装置が固定的に割り当てる帯域を占有しないように管理することを特徴とする請求項４に記載の通信装置。
【請求項６】
前記親局装置内の子局装置管理テーブルに子局装置毎の優先度を加え、親局装置は子局装置に対する固定帯域を開放した場合に該子局装置の優先度として親局装置に接続された子局装置の台数を設定し、それ以外の子局装置の優先度から１を減算する手段を備え、送信要求を受けた子局装置の中で最も優先度の小さいものに固定帯域を割り当てると共に前記請求項３で示した帯域を開放するまでの一定時間を優先度で除算した値に設定することを特徴とする請求項５に記載の通信装置。
【請求項７】
前記子局装置からの送信要求及び送信データに優先度を付加すると共に、前記親局装置は子局装置からの送信要求内の優先度を参照して、優先度の高いものにのみ固定的に帯域を割り当てる手段を備え、子局装置は優先度の高い送信データを親局装置から固定的に割り当てられた送信帯域を使って送信する手段を備えることを特徴とする請求項１に記載の通信装置。
【請求項８】
親局装置と、前記親局装置に時分割多元接続される１〜複数の子局装置を備えた通信装置を用いた通信方法であって、前記親局装置内に子局装置から親局装置へデータを送信するための帯域を固定的に確保・開放するステップと、子局装置から親局装置への送信要求に従って固定的に帯域を確保するステップを有し、前記子局装置内に親局への送信を行う際に送信用帯域を割り当てるための送信要求を行うステップと、前記割り当てられた帯域を使用して親局装置へデータを送信するステップを有することを特徴とする通信方法。
【発明の詳細な説明】
【技術分野】
【０００１】
この発明は、親局装置と複数の子局装置間で双方向にデータ通信を行う通信装置に関するもので、特に、子局装置から親局装置にデータを送信する通信装置あるいは通信方法に関するものである。
【背景技術】
【０００２】
従来より、例えば、住宅などの建物内に設置されたＴＶ、ＶＣＲ、コンピュータなどの家電機器のデータ配信を行う装置が、専用線を設置することなく、コンセントに接続することにより、電力線通信（ＰＬＣ：Ｐｏｗｅｒ  Ｌｉｎｅ  Ｃｏｍｍｕｎｉｃａｔｉｏｎ）を用いて、インターネット接続等の外部ネットワークへ接続したり、ホームネットワークを構成することが出来る。
電力線通信のアクセス制御方式としては、一般的なＬＡＮで良く用いられるＣＳＭＡ（Ｃａｒｒｉｅｒ  Ｓｅｎｓｅ  Ｍｕｌｔｉｐｌ  ｅＡｃｃｅｓｓ）方式があるが、この方式は電力線の分岐などによる反射や減衰の影響が大きくキャリアセンスが困難なため、ＴＤＭＡ（Ｔｉｍｅ  Ｄｉｖｉｓｉｏｎ  Ｍｕｌｔｉｐｌｅ  Ａｃｃｅｓｓ）方式を採用することが多い。【０００３】
ＴＤＭＡ方式を用いる場合、親局装置で接続される可能性のある子局装置全てについて静的にタイムスロットの割当を行うと、接続されていない子局装置や接続されていても通信をしていない子局装置に割り当てられたスロットは使われないため、無駄が多い。
これを解決するため、例えば、特開２００２−２４６９６３号公報に示されるように、親局装置が、接続された子局装置の数に従って、スロットの割当を変更すると共に親局装置から子局装置への通信（下り通信）と子局装置から親局装置への通信（上り通信）を周波数帯で分割するという手段がある。
但し、この場合、下り通信と上り通信を分割するため、どちらかの通信が割り当てられた帯域よりも小さい場合には無駄が出る。
この無駄を避けるために、親局装置は、データを送信する要求のある子局装置からの帯域確保要求に従って、スロットを割り当てるという手段を設けると良い。
但し、この場合、上り通信を行いたい場合は、各フレーム毎に必ず帯域要求を行う必要があるため、必ず一定の遅延が発生する。
本発明は、この遅延を減らして、上り通信を効率よく行う電力線通信を実現できるものである。【０００４】
【特許文献１】特開２００２−２４６９６３号公報
【発明の開示】
【発明が解決しようとする課題】
【０００５】
動的に帯域割当を行うＴＤＭＡ（時分割多元接続）方式においては、通信帯域の割当は親局装置のスケジューラがすべて管理している。そのため、上り通信を行う場合は、予め、子局装置が割り当てられたタイムスロット毎に必要な帯域の確保を親局装置に要求する必要がある。特にＴＣＰ／ＩＰの様に（１）コネクション確立、（２）データ通信、（３）コネクション切断という手順を踏んで通信を行う場合、実際のデータ通信までに双方向でのやり取りが必要となるため、オーバーヘッドが大きく、通信性能が劣化する。【０００６】
この発明は、上記のような課題を解決するためになされたものであって、親局装置が、子局装置の上り通信に必要な帯域を必要に応じて固定的に確保することにより、その後の上り通信を行う際に帯域確保を要求することなく通信できる装置あるいは方法を提供することを目的とする。
【課題を解決するための手段】
【０００７】
本発明にかかる通信装置あるいは通信方法は、動的に帯域割当を行うＴＤＭＡ方式において、子局装置が親局装置にデータを送信する際に、親局装置が子局装置からの帯域確保要求に対して、子局装置に対して、固定的に上り通信用の固定帯域を確保し、子局装置は、それ以降の上り通信については、親局装置から割り当てられた固定帯域を使用するものである。
【発明の効果】
【０００８】
この発明によれば、動的に帯域割当を行うＴＤＭＡ方式の通信装置において、子局装置は親局装置にデータを送信する際に、親局装置に帯域確保を要求し、親局装置が子局装置の要求に従って固定帯域を確保することにより、それ以降の上り通信における帯域確保要求及び確保応答を不要とし、上り通信で必要であった一定の遅延を解消するという効果がある。
【図面の簡単な説明】
【０００９】
【図１】本発明の実施の形態１にかかる通信装置の接続構成を示す図である。
【図２】親局装置と子局装置間のフレーム構造の一例を示す図である。
【図３】子局装置から親局装置への上り通信の手順の一例を示す図である。
【図４】本発明の実施の形態１にかかる通信装置での子局装置から親局装置への上り通信の手順の一例を示す図である。
【図５】固定帯域割当を使用する場合のフレーム構造の一例を示す図である。
【図６】親局装置で固定帯域の割り当てをする処理の一例を示す図である。
【図７】親局装置で保持するどの子局装置に固定帯域を割り当てたかを管理するテーブルの一例である。
【図８】本発明の実施の形態１にかかる通信装置での子局装置の処理の一例を示す図である。
【図９】本発明の実施の形態２にかかる通信装置での固定帯域を開放する手順の一例を示す図である。
【図１０】本発明の実施の形態３にかかる通信装置での固定帯域を開放する手順の一例を示す図である。
【図１１】本発明の実施の形態４にかかる通信装置での固定帯域を開放する手順の一例を示す図である。
【図１２】本発明の実施の形態４にかかる通信装置での固定帯域を開放する手順の一例を示す図である。
【図１３】本発明の実施の形態５にかかる通信装置で、親局装置で保持する固定帯域の子局装置毎の割り当て状況と前回固定帯域を開放してからの経過時間を管理するテーブルの一例である。
【図１４】本発明の実施の形態５にかかる通信装置で、子局装置から親局装置への上り通信の手順の一例を示す図である。
【図１５】本発明の実施の形態５にかかる通信装置で、親局装置で固定帯域を割り当てる処理の一例を示す図である。
【図１６】本発明の実施の形態６にかかる通信装置において、親局装置で保持する固定帯域の子局装置毎の割り当て状況と前回固定帯域を開放してからの経過時間と固定帯域を割り当てるための優先度を管理するテーブルの一例である。
【図１７】本発明の実施の形態６にかかる通信装置において、親局装置が子局装置に対し固定帯域を割り当てる順序の一例を示す図である。
【図１８】本発明の実施の形態６にかかる通信装置において、親局装置が子局装置からの要求に従って固定帯域を割り当てる処理の一例を示す図である。
【図１９】本発明の実施の形態６にかかる通信装置において、親局装置が子局装置の優先度を設定する処理の一例を示す図である。
【図２０】本発明の実施の形態７にかかる通信装置において、子局装置が親局装置に送信する帯域割当要求の構造の一例を示す図である。
【図２１】本発明の実施の形態７にかかる通信装置において、親局装置が子局装置からの要求に従って固定帯域を割り当てる処理の一例を示す図である。
【図２２】本発明の実施の形態７にかかる通信装置において、子局装置が親局装置へデータを送信する処理の一例を示す図である。
【符号の説明】
【００１０】
１０  親局装置
２０、２１〜２ｎ  子局装置
【発明を実施するための形態】
【００１１】
実施の形態１．
以下、この発明の実施の形態１を図に基づいて説明する。
図１は、本発明の実施の形態にかかる通信装置の接続構成を示す図である。
図２は親局装置と子局装置が通信を行うためのフレームの構成を示す図である。
図３は子局装置２０が親局装置１０にデータ通信を行う手順を示す図である。
図４は子局装置２０が親局装置１０にデータ通信を行う際に親局装置１０で固定的に帯域を割り当てる場合の手順を示す図である。
【００１２】
図１に示すように、本実施の形態にかかる通信装置は、親局装置１０にＴＤＭＡ方式で接続される複数の子局装置２０〜２ｎを備えて構成される。
ここで親局装置１０は、複数の子局装置２０〜２ｎをＴＤＭＡ方式で接続し、データの送受信を行う装置である。
親局装置１０と子局装置２０〜２ｎの間の通信は、図２で示すフレームを用いて行われる。フレームは複数のスロットに分割されており、個々のスロットに親局装置からある子局装置へ送信するデータ及びある子局装置から親局装置へ送信されるデータが割り当てられる。
【００１３】
図２の場合、親局装置１０から子局装置２ｘへのデータ送信は下り通信部に、子局装置２ｘから親局装置１０へのデータ送信は上り通信部に割り当てられる。
なお、図２に示すフレーム内の個々のスロットに対して、「上り通信か下り通信か」、又「どの子局装置への通信か」の割り当ては、親局装置が行う。
上り通信と下り通信に割り当てるスロット数は必ずしも固定する必要はなく、その時の通信状態によって自由に決定してよい。
【００１４】
図３を用いて、子局装置２０が親局装置１０に対してデータ通信を行う際の手順を説明する。
子局装置２０は、親局装置２０に対してデータを送信する必要が生じる（ＳＴ１０）と、まず、親局装置１０に対して、データを送信するために必要な帯域の確保要求を行う（ＳＴ２０）。
親局装置１０は、子局装置２０からの帯域確保要求を受け取ると、スケジューラが次のタイムスロットで必要な帯域（必ずしも要求された帯域全てでなくても問題ない）の確保を行う（ＳＴ１１）と共に子局装置２０に対して、帯域確保応答を返す（ＳＴ２１）。
【００１５】
子局装置２０は親局装置１０から帯域確保応答ＳＴ２１を受け取ると、その帯域を利用してデータ送信を開始する。
なお、この時に確保した帯域はたかだか１タイムスロットしか有効ではないため、１回のタイムスロットで全てのデータが送信できなかった場合や連続してデータの送信が必要な場合は、データ送信時に次のデータ送信のための帯域確保要求も同時に親局装置１０に送信する必要がある（ＳＴ２２）。
このため、データ送信開始時に必ず帯域確保要求（ＳＴ２０，ＳＴ２２）を行い、帯域確保応答（ＳＴ２１）を待ってからデータ送信（ＳＴ２２，ＳＴ２３）を行うため、データ送信を行う度に必ず２から３タイムスロットの遅延が発生することとなる。
【００１６】
次に、図４を用いて本実施の形態にかかる通信装置での子局装置２０から親局装置１０へのデータ送信の手順を説明する。
子局装置２０は、親局装置２０に対してデータを送信する必要が生じる（ＳＴ１０）と、まず、親局装置１０に対して、データを送信するために必要な帯域の要求を行う（ＳＴ２０）。
親局装置１０は、子局装置２０からの帯域確保要求を受け取ると、スケジューラが要求のあった帯域を固定的に確保する（ＳＴ１１１）と共に子局装置２０に対して、固定帯域確保応答を返す（ＳＴ３１）。
子局装置２０は、親局装置１０から固定帯域確保応答ＳＴ３１を受け取ると、その帯域を利用してデータ送信を開始する（ＳＴ２３）。
子局装置２０はデータ送信が完了（ＳＴ１３）すると、親局装置１０に対して確保した固定帯域の開放要求を行い（ＳＴ３２）、親局装置１０は、固定帯域開放要求を受け取ると、子局装置２０のために確保していた固定帯域を開放（ＳＴ１１２）し、固定帯域開放応答（ＳＴ３３）を返す。
【００１７】
本処理の詳細を図６及び図８を用いて示す。
図６は、親局装置１０で固定帯域を割り当てる処理を示す図である。
親局装置１０は、子局装置２０から帯域確保要求を受信すると（ＳＴ６０）、固定帯域用領域に空きがあるかどうかを確認する（ＳＴ６１）。
図５に固定帯域を割り当てる場合の親局装置と子局装置が通信を行うためのフレームの構成を示す。
上り通信部の一部を固定帯域用領域に割り当て、特定の子局装置が上り通信を占有することを防ぐために最大値を決めてある。
固定帯域用領域に空きがあれば、要求のあった子局装置に対して、固定帯域を割り当て（ＳＴ６２）、図７に示す管理テーブルにフレーム内のスロットと子局の対応を登録する。その後、子局装置に対して固定帯域確保応答を送信（ＳＴ６３）する。
固定帯域用領域に空きがない場合は、更にフレーム内に空きがあるかどうかを確認し（ＳＴ６１０）、空きがあれば、帯域を割り当て（ＳＴ６１１）、子局装置に帯域確保応答を送信（ＳＴ６１２）する。フレームに空きが無い場合は子局装置に帯域確保失敗を送信（ＳＴ６２０）する。
【００１８】
図８は、子局装置２０が親局装置１０に対して上り通信を行う際の処理を示す図である。
子局装置２０は、親局装置１０に対してデータの送信が必要になると（ＳＴ８０）、まず、フレーム内に自分用の固定帯域が確保されているかどうかを確認する（ＳＴ８１）。
固定帯域が確保されていない場合、親局装置１０に帯域確保要求を行う（ＳＴ８２）。
親局装置からの返信（ＳＴ８３）が、固定帯域確保応答であった場合、確保された帯域でデータ送信を行う（ＳＴ８１０）。送信すべきデータが残っている限りデータ送信を繰り返す（ＳＴ８１１）。
データの送信が完了すると、親局装置１０に固定帯域開放要求を行い（ＳＴ８１２）、親局装置からの応答を受け取る（ＳＴ８１３）。
親局装置１０から帯域確保応答を受信した場合は、確保された帯域を使ってデータ送信を行い（ＳＴ８４）、データが残っている場合（ＳＴ８５）は再度帯域確保要求を行う（ＳＴ８２）。親局装置が帯域確保に失敗した場合は、一定時間待って（ＳＴ８２０）、再度帯域確保要求を行う（ＳＴ８２）。
【００１９】
以上のように、親局装置１０がＴＤＭＡ方式で接続された複数の子局装置２０〜２ｎを持つ場合、子局装置から親局装置へのデータ送信時に、子局装置は親局装置に対して、その都度、帯域を要求する必要があり、又、データ送信毎に帯域確保要求及び帯域確保応答を待つ必要があるため、遅延が必ず発生するが、本発明の様に子局装置から帯域確保要求があった場合に、親局装置側で固定的に上り送信用の帯域を割り当てることにより、次からのデータ送信の遅延時間をなくすことが出来るという効果がある。
【００２０】
実施の形態２．
実施の形態１では、親局装置１０で確保する固定帯域は、子局装置２０からの開放要求により開放されるが、子局装置２０が次に親局装置１０へデータを送信するタイミングは子局装置２０では予測できない場合がある。
また、一度、データ送信を行った子局装置２０は直ぐに次のデータ送信を行う可能性が高いとみなすことも出来る。
そのため、図９に示す様に、親局装置１０が子局装置２０からのデータ送信を監視し、最後に子局装置２０からのデータを受信してから、一定の時間（無送信時間９０）経過後に、親局装置１０は、子局装置２０に割り当てた固定帯域を開放（ＳＴ１１２）すると共に子局装置２０に固定帯域開放応答（ＳＴ３３）を送信する。
【００２１】
以上のように、親局装置１０が子局装置２０に割り当てた固定帯域を、子局装置からの最後のデータを受信してから指定した一定時間経過後に開放することにより、子局装置はデータ送信が連続する場合に改めて帯域確保要求を行うことなく通信が可能となるという効果が得られる。
【００２２】
実施の形態３．
実施の形態２では、子局装置２０からのデータ送信が継続すると、親局装置１０が確保した固定帯域が開放されず、データ送信が継続する子局装置２０が帯域を占有してしまうという問題があるが、図１０に示す様に、親局装置１０が子局装置２０に固定帯域を割り当ててから（ＳＴ１１１）、一定の時間（最大確保時間１００）経過後に子局装置２０に割り当てた固定帯域を開放（ＳＴ１１２）することにより、特定の子局装置が上り通信用の帯域を占有することを防止することが出来る。
【００２３】
実施の形態４．
実施の形態３では親局装置１０は子局装置２０のデータ送信の有無に関わらず、一定時間が経過するまで、固定帯域を確保している。
従って、子局装置２０が親局装置１０へのデータ通信を行っていない間も帯域は確保されており、使用していない帯域が無駄になるという問題がある。
図１１、１２で示す様に、親局装置１０は、子局装置２０に対して、固定帯域を割り当ててから（ＳＴ１１１）一定時間（最大確保時間１００）の経過を待つと共に、子局装置２０から親局装置１０へのデータ通信が無くなってからの時間が一定時間（無送信時間９０）経過するまで待ち、どちらかが先に経過した時点で固定帯域の開放を行う（ＳＴ１１２）。
【００２４】
このように、本実施の形態４によれば、親局装置１０が子局装置２０に対して、固定帯域を割り当ててから一定の時間経過するか、データ通信が無くなってから一定の時間経過するか、どちらかの条件を満たした場合に、固定帯域の開放を行うため、効率的に固定帯域を利用することが出来る。
【００２５】
実施の形態５
実施の形態１〜４では、親局装置１０は、子局装置２０からの固定帯域確保要求に対して、割り当てる固定帯域に空きがあれば割り当てていたが、その場合、通信頻度の高い子局装置が固定帯域割当を受ける確立が高くなり、通信頻度の低い子局装置は伝送遅延が大きいまま通信を行うという問題がある。
本実施の形態５では、親局装置１０において子局装置管理テーブル（図１３）を設け、各子局装置（１３０）について、固定帯域の割り当て状況（１３１）と前回固定帯域を開放した時の時間（１３２）を管理し、図１４、１５に示す様に、子局装置に固定帯域を割り当てる際に、前回割り当てた固定帯域を開放（ＳＴ１１２）してから一定時間（帯域確保不能時間１４０）を経過していないかどうかを確認（ＳＴ１５１）し、一定時間を経過していない子局装置に対しては固定帯域の割当を禁止することによって、その間にデータ通信を行う子局装置に対して固定帯域の割当を可能とする。
【００２６】
このように本実施の形態５によれば、親局装置１０に一度、固定帯域を割り当てた子局装置に対して、一定時間、固定帯域の割当を禁止することにより、通信頻度の高い子局装置が固定帯域を占有することを防止するという効果がある。
【００２７】
実施の形態６
実施の形態５では、親局装置１０は、固定帯域を割り当てた子局装置２０に対して、一定時間固定帯域の割当を禁止するため、他の子局装置がデータ通信を行わず子局装置２０が上り通信を行った場合には、固定帯域用領域に空きがあるにも関わらず固定帯域が割り当てられない時間が発生する。
これを回避するため、親局装置１０内の子局装置管理テーブルに対して、図１６に示す様に、子局装置毎に優先度（１３３）を付与することによって、上り通信を行う子局装置に対して固定帯域を割り当てながら、特定の子局装置に固定帯域が占有されないようにする。
【００２８】
親局装置１０が子局装置２０〜２ｎに優先度を設定する処理を、図１９を用いて説明する。
親局装置１０は、子局装置２０〜２ｎとの接続開始時に全ての子局装置に対して優先度１を設定（ＳＴ１９０）する。
親局装置１０が子局装置２０〜２ｎと通信を行う（ＳＴ１９１）度に、親局装置１０は、現在固定帯域を割り当てている子局装置があるかどうかを確認（ＳＴ１９２）する。
そして、固定帯域を割り当てている子局装置があれば、その子局装置に固定帯域を割り当ててからの最大帯域確保時間が経過しているかどうかを確認（ＳＴ１９３）し、経過していれば、その子局装置に対して割り当てていた固定帯域を開放（ＳＴ１９４）し、その子局装置の優先度に親局装置１０に接続された全子局装置の個数Ｎを設定（ＳＴ１９５）すると共に固定帯域が割り当てられていない子局装置に対して、優先度から１を減算（ＳＴ１９８）する。
この時、既に優先度が１であった子局装置については何もしない。
【００２９】
図１７に通信が行われる毎の、ある子局装置が親局装置にデータ送信を行った場合に、各子局装置の優先度がどうなるかの一例を子局装置が５台として示す。
図１８に、実施の形態６において、親局装置１０が固定帯域を割り当てる処理の一例を示す。
親局装置１０は、複数の子局装置から帯域確保要求を受信する（ＳＴ１８０）と、フレーム内の固定帯域用領域に空きがあるかどうかを確認（ＳＴ１８１）する。
領域に空きがあった場合、親局装置１０は要求のあった子局装置の内、優先度がもっとも小さいものに対して固定帯域を割り当てる（ＳＴ１８２、ＳＴ１８３）と共にその子局装置の最大確保時間として予め指定した時間（最大確保時間１００）を優先度ｎで除算した値を設定（ＳＴ１８４）する。
【００３０】
以上により、本発明の実施の形態６によれば、特定の子局装置が固定帯域を占有することなく、上り通信をしている子局装置が存在している場合には固定帯域を割り当てることが可能となる。
【００３１】
実施の形態７
本実施の形態１において、子局装置２０は、図２０に示す様に、帯域確保要求に優先度を付与すると共に図２２に示す様に送信データの優先度が高い場合には、親局装置１０により確保された固定帯域を割り当てる（ＳＴ２２３）。
又、図２１に示す様に、親局装置１０は、子局装置からの帯域確保要求（ＳＴ２１０）に対して、優先度を参照（ＳＴ２１１）して、予め指定された優先度以上のときのみ固定帯域を割り当てる（ＳＴ２１３）。
【００３２】
以上により、子局装置が上り通信を行う際に、優先度の高いデータと優先度の低いデータが混在している場合でも優先度の高いデータに対してのみ固定帯域を割り当てることにより、優先度の高いデータを確実に遅延無く送信することが可能となる。
【図１】
2010064654.tif 000003
【図２】
2010064654.tif 000004
【図３】
2010064654.tif 000005
【図４】
2010064654.tif 000006
【図５】
2010064654.tif 000007
【図６】
2010064654.tif 000008
【図７】
2010064654.tif 000009
【図８】
2010064654.tif 000010
【図９】
2010064654.tif 000011
【図１０】
2010064654.tif 000012
【図１１】
2010064654.tif 000013
【図１２】
2010064654.tif 000014
【図１３】
2010064654.tif 000015
【図１４】
2010064654.tif 000016
【図１５】
2010064654.tif 000017
【図１６】
2010064654.tif 000018
【図１７】
2010064654.tif 000019
【図１８】
2010064654.tif 000020
【図１９】
2010064654.tif 000021
【図２０】
2010064654.tif 000022
【図２１】
2010064654.tif 000023
【図２２】
2010064654.tif 000024
【国際調査報告】
2010064654.tif 000025
2010064654.tif 000026
2010064654.tif 000027
2010064654.tif 000028